(57)【要約】【課題】チューブ・ボトル及びサンプルが不足状態であっても、運転したいときにバランスが取れた状態での運転を可能とするバランスウェイトとロータ及びこれらを備えた遠心分離機を提供すること。【解決手段】ロータ３のチューブ穴３ａに挿入セットされるバランスウェイト３０を、質量の異なる複数のパーツ３１〜３４を積み重ねてこれらを連結手段で互いに連結することによって単品として構成する。前記パーツ３１〜３４を密度が１．０×１０3 〜１．２×１０3 ｋｇ／ｍ3 の材料で構成する。又、サンプル１７を収容したチューブ・ボトル１８と前記バランスウェイト３０を挿入セットするための複数のチューブ穴３ａを形成してロータ３を構成する。更に、前記ロータ３を回転駆動するモータと、該モータを駆動制御する制御装置を含んで遠心分離機を構成する。【選択図】図３
2009125616.tif 000002
【特許請求の範囲】
【請求項１】
ロータのチューブ穴に挿入セットされるバランスウェイトであって、質量の異なる複数のパーツを積み重ねてこれらを連結手段で互いに連結することによって単品として構成されることを特徴とするバランスウェイト。
【請求項２】
前記パーツを密度が１．０×１０3 〜１．２×１０3 ｋｇ／ｍ3 の材料で構成したことを特徴とする請求項１記載のバランスウェイト。
【請求項３】
前記連結手段は、爪と溝との係合であることを特徴とする請求項１又は２記載のバランスウェイト。
【請求項４】
前記連結手段は、ネジ結合であることを特徴とする請求項１又は２記載のバランスウェイト。
【請求項５】
前記連結手段は、マグネットの磁力による吸着であることを特徴とする請求項１又は２記載のバランスウェイト。
【請求項６】
前記連結手段は、両面テープ又はマジックテープ（株式会社クラレの登録商標）による接着であることを特徴とする請求項１又は２記載のバランスウェイト。
【請求項７】
前記連結手段は、前記パーツの中心部に設けられたボスと穴との嵌合であることを特徴とする請求項１又は２記載のバランスウェイト。
【請求項８】
前記ボスを分銅で構成したことを特徴とする請求項７記載のバランスウェイト。
【請求項９】
前記ボスの側面に複数の溝を形成したことを特徴とする請求項７又は８記載のバランスウェイト。
【請求項１０】
前記パーツの側面に該パーツの質量を表示したことを特徴とする請求項１〜９の何れかに記載のバランスウェイト。
【請求項１１】
前記パーツの色を互いに異ならせたことを特徴とする請求項１〜１０の何れかに記載のバランスウェイト。
【請求項１２】
サンプルを収容したチューブボトルと請求項１〜１１の何れかに記載のバランスウェイトを挿入セットするための複数のチューブ穴を形成して成ることを特徴とするロータ。
【請求項１３】
請求項１２記載のロータと、該ロータを回転駆動するモータと、該モータを駆動制御する制御装置を備えたことを特徴とする遠心分離機。
【発明の詳細な説明】
【技術分野】
【０００１】
本発明は、ダミーチューブとして機能するバランスウェイトとこれを収納するロータ及び該ロータを回転駆動してサンプルを遠心分離処理するための遠心分離機に関するものである。
【背景技術】
【０００２】
一般の遠心分離機のロータには、遠心分離すべきサンプルを収容したチューブ・ボトルがセットされるが、ロータ回転時の振動を抑えるためにチューブ・ホトルを回転軸に対して対称位置になるようにロータのチューブ穴にセットする必要がある。
【０００３】
例えば、チューブ・ボトルをロータに１本のみセットする場合、或いは複数のチューブ・ボトルを遠心分離機の回転軸に対して非対称にセットした場合には、過大なアンバランス運転となり、回転軸の変形やロータの離脱に繋がり、遠心分離機及びロータを損傷する可能性がある。
【０００４】
そのため、チューブ・ボトルの本数が偶数の場合、２本１組となるようにしてチューブ・ボトルを遠心分離機の回転軸に対して対称の位置にセットする必要がある。又、チューブ・ボトルの本数が奇数の場合、チューブ・ボトルを等間隔に並ぶようにセットする必要がある。
【０００５】
更に、チューブ・ボトルに入れるサンプルは、目分量若しくは質量でバランス取りする必要がある。もし、サンプルの量が異なったアンバランス状態で運転しようとすると、例えばアラームが点灯して運転できないようにした策を講じている遠心分離機が多い。
【特許文献１】特開平４−１４５９６８号公報
【発明の開示】
【発明が解決しようとする課題】
【０００６】
しかしながら、使用者の都合によってチューブ・ボトルの本数を増減したくない場合や、準備されたサンプルが１本分しかなく、これと同じ種類で同じ量のサンプルと同一のチューブ・ボトルを用意することができない場合にはアンバランス状態となるため、運転したいときにすぐに運転できないという問題がある。
【０００７】
又、患者の血液や貴重なサンプル等の場合には、新たに追加補充してバランス状態を確保することが困難なケースが多い。
【０００８】
本発明は上記問題に鑑みてなされたもので、その目的とする処は、チューブ・ボトル及びサンプルが不足状態であっても、運転したいときにバランスが取れた状態での運転を可能とするバランスウェイトとロータ及びこれらを備えた遠心分離機を提供することにある。
【課題を解決するための手段】
【０００９】
上記目的を達成するため、請求項１記載の発明は、ロータのチューブ穴に挿入セットされるバランスウェイトを、質量の異なる複数のパーツを積み重ねてこれらを連結手段で互いに連結することによって単品として構成したことを特徴とする。
【００１０】
請求項２記載の発明は、請求項１記載の発明において、前記パーツを密度が１．０×１０3 〜１．２×１０3 ｋｇ／ｍ3 の材料で構成したことを特徴とする。
【００１１】
請求項３記載の発明は、請求項１又は２記載の発明において、前記連結手段は、爪と溝との係合であることを特徴とする。
【００１２】
請求項４記載の発明は、請求項１又は２記載の発明において、前記連結手段は、ネジ結合であることを特徴とする請求項１又は２記載のバランスウェイト。
【００１３】
請求項５記載の発明は、請求項１又は２記載の発明において、前記連結手段は、マグネットの磁力による吸着であることを特徴とする。
【００１４】
請求項６記載の発明は、請求項１又は２記載の発明において、前記連結手段は、両面テープ又はマジックテープ（株式会社クラレの登録商標）による接着であることを特徴とする。
【００１５】
請求項７記載の発明は、請求項１又は２記載の発明において、前記連結手段は、前記パーツの中心部に設けられたボスと穴との嵌合であることを特徴とする。
【００１６】
請求項８記載の発明は、請求項７記載の発明において、前記ボスを分銅で構成したことを特徴とする。
【００１７】
請求項９記載の発明は、請求項７又は８記載の発明において、前記ボスの側面に複数の溝を形成したことを特徴とする。
【００１８】
請求項１０記載の発明は、請求項１〜９の何れかに記載の発明において、前記パーツの側面に該パーツの質量を表示したことを特徴とする。
【００１９】
請求項１１記載の発明は、請求項１〜１０の何れかに記載の発明において、前記パーツの色を互いに異ならせたことを特徴とする。
【００２０】
請求項１２記載のロータは、サンプルを収容したチューブ・ボトルと請求項１〜１１の何れかに記載のバランスウェイトを挿入セットするための複数のチューブ穴を形成して成ることを特徴とする。
【００２１】
請求項１３記載の遠心分離機は、請求項１２記載のロータと、該ロータを回転駆動するモータと、該モータを駆動制御する制御装置を備えたことを特徴とする。
【発明の効果】
【００２２】
請求項１記載の発明によれば、質量の異なる複数のパーツを積み重ねて互いに連結することによって任意の質量のバランスウェイトを構成することができるため、運転毎に質量が異なるチューブ・ボトルやサンプルの量に対応することができ、チューブ・ボトル及びサンプルが不足或いは無い状態であっても、運転したいときにバランスが取れた状態での運転が可能となる。又、バランスウェイトは、複数のパーツを下から積み上げることによって構成されるため、サンプルが少ない場合でも、常に運転中の重心位置は低くなり、運転中はサンプルの入ったチューブ・ボトルの重心位置とほぼ同じ重心位置を保つことができる。
【００２３】
請求項２記載の発明によれば、バランスウェイトの各パーツを、遠心分離するサンプルの殆どの密度の範囲に収まる１．０×１０3 〜１．２×１０3 ｋｇ／ｍ3 の密度の材料で構成したため、バランスウェイトの体積と質量がサンプルの入ったチューブ・ボトルの体積と質量に見掛け上ほぼ等しくなり、目分量によるバランス取りを簡単に行うことができる。
【００２４】
請求項３〜７記載の発明によれば、パーツを積み重ねて連結することによって単品としてのバランスウェイトを容易に構成することができ、このように構成されるバランスウェイトにおいては、パーツ間の脱着が容易となる他、該バランスウェイトをサンプルの入ったチューブ・ボトルと同様にロータに対して取り付け及び取り外すことができ、その管理を簡単に行うことができる。又、運転中の遠心力によってバランスウェイトの各パーツ間での回転を防ぐことができる。
【００２５】
請求項８記載の発明によれば、各パーツの中心部に設けられたボスを分銅で構成したため、各パーツを積み重ねて構成されるバランスウェイトのトータルの質量を容易に知ることができる。
【００２６】
請求項９記載の発明によれば、各パーツの中心部に設けられたボスの側面に複数の溝を形成したため、各パーツをピンセット等で摘んでロータのチューブ穴に対して容易に出し入れすることができる。
【００２７】
請求項１０記載の発明によれば、パーツの側面に該パーツの質量を表示したため、各パーツを積み重ねて構成されるバランスウェイトのトータルの質量を容易に知ることができる。
【００２８】
請求項１１記載の発明によれば、パーツの色を互いに異ならせたため、各パーツを積み重ねて構成されるバランスウェイトのトータルの質量を容易に知ることができる。
【００２９】
請求項１２及び１３記載の発明によれば、バランスウェイトによって良好なバランス状態を保った状態でロータを高速回転させることができ、ロータの変形や離脱、遠心分離機及びロータの損傷等を招くことなく、所要の遠心分離処理を安定的に行うことができる。
【発明を実施するための最良の形態】
【００３０】
以下に本発明の実施の形態を添付図面に基づいて説明する。
【００３１】
図１は本発明に係る遠心分離機の縦断面図であり、図示の遠心分離機１は、筐体２と、ロータ３を収納するロータ室４と、ロータ３を回転駆動するモータ５と、ロータ室４の上面開口部を開閉するドア６等を備えている。ここで、ロータ室４は、上面が開口するチャンバ７によって構成されており、その周囲には銅管から成る冷媒配管８が巻装されており、その周囲は発泡材等の断熱材９によって覆われている。又、チャンバ７のモータ５が貫通する部位は、ゴム等の弾性材料から成るシールカバー１０によって開口部が覆われている。
【００３２】
ところで、モータ５は、筐体２内に水平に設置された仕切板１１上に防振ゴム１２を介して弾性支持されており、その出力軸５ａは前記チャンバ７を下方から貫通してロータ室４内に臨んでいる。そして、この出力軸５ａの上端に前記ロータ３が着脱可能に装着されている。
【００３３】
他方、筐体２内の仕切板１１よりも下方の空間には冷凍装置が収容されており、この冷凍装置は、圧縮機１３、凝縮器１４、膨張手段としてのキャピラリチューブ１５、蒸発器としての前記冷媒配管８等によって構成されている。この冷凍装置においては、圧縮機１３によって圧縮された高圧のガス冷媒は凝縮器１４によって凝縮されて液化した後、キャピラリチューブ１５を通過する際に減圧されて膨張し、チャンバ７の外周に巻装された冷媒配管８を流れる過程で蒸発し、この冷媒の蒸発によってチャンバ７を介してロータ室４が冷却され、ロータ室４内でのロータ３の高速回転によって発生する発熱が抑えられる。
【００３４】
又、前記ドア６上には、モータ５の回転速度等を表示する表示部２０が設けられている。
【００３５】
次に、本発明の要旨を図２〜図９に基づいて説明する。
【００３６】
図２は本発明に係るロータの駆動制御系の構成を示すブロック図、図３はロータの断面斜視図、図４（ａ）は本発明に係るバランスウェイトの分解斜視図、図４（ｂ）は同バランスウェイトの斜視図、図５はチューブ・ボトルのバランス取りを示す斜視図、図６はサンプルの許容液面差を示す図、図７（ａ）〜（ｃ）はロータへのチューブ・ボトルのセット例を示すロータの模式的平面図、図８（ａ）はネジ式のバランスウェイトの分解斜視図、図８（ｂ）は同バランスウェイトの斜視図、図９は分銅式のバランスウェイトの部分斜視図である。
【００３７】
図２及び図３に示すように、ロータ３には、複数のチューブ穴３ａが形成されており、各チューブ穴３ａには、サンプル（試料）１７が収容されたチューブ・ボトル１８が挿入セットされている。又、図２に示すように、前記制御装置１６には操作パネル１９と表示装置２０が接続されている。
【００３８】
次に、遠心分離機１の一般的な運転の流れについて説明する。
【００３９】
先ず、図５に示すように、サンプル１７の入ったチューブ・ボトル１８をバランサ２１に入れ、各チューブ・ボトル１８のサンプル１７の液量を調節しながら、ロータ３によって異なる許容最大インバランス量以内に収まるようにバランス取りを行う。或は、図６に示すように、２つのチューブ・ボトル１８内のサンプル１７の液位がロータ３によって異なる許容液面差の範囲内に収まるようにサンプル１７の液量を調節してバランス取りを行う。尚、サンプルのバランス取りがされていないアンバランス状態で運転しようとすると、例えばアラームが点灯して運転ができない策を講じている遠心分離機が多い。
【００４０】
次に、図７に示すように、バランス取りされたサンプル１７が入ったチューブ・ボトル１８をロータ３の回転軸に対して対称位置になるようにロータ３のチューブ穴３ａにセットする。例えば、チューブ・ボトル１８の本数が図示のように２本、４本、６本と偶数の場合には、２本１組となるようにチューブ・ボトル１８をロータ３の回転軸に対して対称の位置にセットする。又、図示しないが、チューブ・ボトル１８の本数が奇数の場合、チューブ・ボトル１８が等間隔に並ぶようにセットする。尚、チューブ・ボトルがロータの回転軸に対してサンプルのバランス取りがされていないアンバランス状態で運転しようとすると、例えばアラームが点灯して運転ができない策を講じている遠心分離機が多い。
【００４１】
しかしながら、使用者の都合によってチューブ・ボトルの本数を増減したくない場合や、準備されたサンプルが１本分しかなく、これと同量のサンプルや同一のチューブ・ボトルを用意することができない場合にはアンバランス状態となるため、運転したいときにすぐに運転できないという問題がある。又、患者の血液や貴重なサンプル等を新たに追加補充することが困難なケースが多い。
【００４２】
そこで、本発明は、以下に説明するバランスウェイトを提案する。
【００４３】
ここで、図３を参照して本発明に係るバランスウェイトの特徴について説明する。
【００４４】
本発明に係るバランスウェイト３０は、その外形がロータ３にセットできるチューブ・ボトル１８の外寸と同一の中実形状であって、ロータ３のチューブ穴３ａにセット可能である。
【００４５】
又、図４に示すように、本発明に係るバランスウェイト３０は、複数のパーツ３１，３２，３３，３４，３５から構成されており、最下に位置して半球と円柱を合わせた構造を有し、ロータ３のチューブ穴３ａの底にセットできる形状を有する１つのパーツ３１と、高さ（質量）の異なる円柱状の複数のパーツ３２〜３５を備えており、これらのパーツ３１〜３５を下から積み重ねることによって１つのバランスウェイト３０が構成される。これにより、例えばサンプル１７が入ったチューブ・ボトル１８の質量が４７ｇに対応するバランスウェイト３０を用意したい場合には、最下位の１０ｇのパーツ３１と、円柱状の２０ｇのパーツ３２と、１０ｇのパーツ３３と、５ｇのパーツ３４と、２ｇのパーツ３５を下から積み重ねることによって、運転毎に異なるチューブ・ボトル１８やサンプル１７の量に対応したバランスウェイト３０を得ることができる。或いは、遠心分離機１がアンバランスを検出しなくなるまで目分量で円柱状のパーツ３１〜３５を追加してゆけば良い。この場合、各パーツ３１〜３５の側面に該パーツ３１〜３５の質量「２ｇ」、「５ｇ」…を表示することによって、パーツ３１〜３５を積み重ねて構成されるバランスウェイト３０のトータルの質量を簡単に知ることができる。尚、各パーツ３１〜３５の色を変えることによっても、これらのパーツ３１〜３５を積み重ねて構成されるバランスウェイト３０のトータルの質量を簡単に知ることができる。
【００４６】
このように本発明に係るバランスウェイト３０は、パーツ３１〜３５を下から積み上げる構造を有しているため、サンプル１７が少ない場合でも、常に重心位置は低くなり、サンプル１７の入ったチューブ・ボトル１８の重心位置とほぼ同じ重心位置を保つことができる。
【００４７】
又、本発明に係るバランスウェイト３０は、遠心分離するサンプル１７の殆どの密度の範囲に収まる１．０×１０3 〜１．２×１０3 ｋｇ／ｍ3 の密度の材料で構成されており、例えば密度が１．０５×１０3 ｋｇ／ｍ3 であるナイロン６６（ポリアミド系樹脂）や、密度が１．２×１０3 ｋｇ／ｍ3 であるＰＣ（ポリカーボネート樹脂）等を材料に用いることによって、該バランスウェイト３０の体積と質量がサンプル１７の入ったチューブ・ボトル１８の体積と質量と見掛け上ほぼ同じとなり、バランス取りを簡単に行うことができる。
【００４８】
又、図８に示すように、本発明に係るバランスウェイト３０の材料が１．２×１０3 ｋｇ／ｍ3 より大きい密度のもの、例えば密度が２．７×１０3 ｋｇ／ｍ3 であるアルミニウム合金（Ａｌ）や密度が７．８５×１０3 ｋｇ／ｍ3 である構造用鋼（Ｆｅ）を材料に用いる場合は、バランスウェイト３０のパーツ３１〜３５の上面或いは下面に中心軸に対して等間隔で高さ方向に貫通した孔又は凹部３１ａ〜３５ａを設け、バランスウェイト３０のパーツ３１〜３５に貫通孔又はポケット３１ａ〜３５ａが無い場合の体積に占めるバランスウェイト３０のパーツ３１〜３５の質量の割合を示す見掛けの密度が１．０×１０3 〜１．２×１０3 ｋｇ／ｍ3 になることによって、該バランスウェイト３０の体積と質量がサンプル１７の入ったチューブ・ボトル１８の体積と質量と見掛け上ほぼ同じとなり、バランス取りを簡単に行うことができる。
【００４９】
又、図４（ａ）の拡大図に示すように、本発明に係るバランスウェイト３０の最下位のパーツ３１の上面部と高さが異なる円柱状のパーツ３１〜３５の上面の３箇所には、これらを積み重ねたときの接合部としての係合爪３１ｂ〜３５ｂが立設され、パーツ３２〜３５の下面の３箇所には、前記係合爪３１ｂ〜３４ｂが係合するための係合溝３２ｃ〜３５ｃが形成されている。
【００５０】
而して、各パーツ３２〜３５は、これらの下面に立設された係合溝３２ｃ〜３５ｃにその下方に位置するパーツ３１〜３４の係合爪３１ｂ〜３５ｂを係合させ、そのままひねることによって連結されるが、このようなバヨネット式の連結構造を採用することによって、パーツ３１〜３５間の脱着が容易となるとともに、バランスウェイト３０の最下位のパーツ３１と外径が同じで高さの異なる複数の円柱状のパーツ３２〜３５を連結して単品としてのバランスウェイト３０を構成することができ、このように構成されるバランスウェイト３０をサンプル１７の入ったチューブ・ボトル１８と同様にロータ３に対して取り付け及び取り外すことができ、その管理を簡単に行うことができる。又、運転中の遠心力によってバランスウェイト３０の各パーツ３１〜３５間での回転を防ぐことができる。
【００５１】
又、図８（ｂ）の拡大図に示すように、本発明に係るバランスウェイト３０の最下位のパーツ３１の最大外径部と外径が同じで高さの異なる円柱状のパーツ３２〜３５の上面中心部に雄ネジ部３１ｄ〜３５ｄを立設し、パーツ３１〜３５の各下面中心部には不図示の雌ネジ穴を形成し、これらのパーツ３１〜３５を重ね合わせたとき、パーツ３１〜３４の雄ネジ部３１ｄ〜３４ｄをパーツ３２〜３５の雌ネジ穴に合わせて、雄ネジ部３１ｄ〜３４ｄを雌ネジ部にねじ込むことによって単品としてのバランスウェイト３０を構成することができる。このように構成されるバランスウェイト３０もサンプル１７の入ったチューブ・ボトル１８と同様にロータ３に対して取り付け及び取り外すことができ、その管理を簡単に行うことができる。又、運転中の遠心力によってバランスウェイト３０の各パーツ３１〜３５間での回転を防ぐことができる。
【００５２】
更に、図９に示すように、バランスウェイト３０の最下位のパーツの最大外径部と外径が同じで高さの異なる円柱状のパーツ３４，３５の上面中心部の凸部先端に鍔部３６を設け、該鍔部３６の側面に数本の溝を形成するとともに、円柱状のパーツ３４，３５の下面中心部に、パーツ３４，３５を積み重ねたときに下方のパーツ３４の上面に設けられた不図示の凸部が収まる円柱状の凹部（不図示）を設けることによって、ロータ３にセットされたバランスウェイト３０をピンセット等で１個ずつ容易に取り外しすることができるようにしても良い。
【００５３】
尚、図示しないが、本発明に係るバランスウェイトのパーツの連結構造として、最下位のパーツの上面と外径が同じで高さの異なる円柱状のパーツの上面及び下面に、パーツを下から積み重ねたときに向かい合わせとなるようにマグネットのＮ極とＳ極を埋め込み、パーツ同士を磁力によって吸着する方式が考えられる。このようにしてパーツを積み重ねて連結することによって単品としてのバランスウェイトを構成することができ、このように構成されるバランスウェイトにおいては、パーツ間の脱着が容易となる他、該バランスウェイトをサンプルの入ったチューブ・ボトルと同様にロータに対して取り付け及び取り外すことができ、その管理を簡単に行うことができる。又、運転中の遠心力によってバランスウェイトの各パーツ間での回転を防ぐことができる。
【００５４】
又、図示しないが、最下位のパーツの上面と外径が同じで高さの異なる円柱状のパーツの上面及び下面に両面テープ又はフック状に起毛された側とループ状に起毛された側を押し付けて貼り付ける面ファスナーであるマジックテープ（株式会社クラレの登録商標）を貼り付け、パーツ同士を両面テープ又はマジックテープ（株式会社クラレの登録商標）で接合することによって単品としてのバランスウェイトを構成することができ、このように構成されるバランスウェイトにおいては、パーツ間の脱着が容易となる他、該バランスウェイトをサンプルの入ったチューブ・ボトルと同様にロータに対して取り付け及び取り外すことができ、その管理を簡単に行うことができる。又、運転中の遠心力によってバランスウェイトの各パーツ間での回転を防ぐことができる。
【００５５】
更に、図示しないが、最下位のパーツの最大外径部と外径が同じで高さの異なる円柱状のパーツの上面中心部に円柱状の凸部を設け、円柱状の凸部の側面に数本の溝を形成するとともに、円柱状のパーツの下面中心部に、パーツを積み重ねたときに円柱状の前記凸部が収まる円柱状の凹部を設けることによって、ロータにセットされたバランスウェイトをピンセット等でチューブ穴３ａから容易に取り出すことができ、更に全高を低くすることができる。
【００５６】
而して、以上のように構成されるバランスウェイト３０をダミーチューブとしてロータ３のチューブ穴３ａに挿入セットすれば、例えば使用者の都合によってチューブ・ボトルの本数を増減したくない場合や、準備されたサンプルが１本分しかなく、これと同量のサンプルや同一のチューブ・ボトルを用意することができない場合、或いはチューブ・ボトル及びサンプルが不足或いは無い状態であっても、遠心分離機１を運転したいときにバランスが取れた状態ですぐに運転することができる。
【００５７】
そして、遠心分離機１の所定の運転が終了すると、図１に示すドア６を開けてロータ３をモータ５の出力軸５ａから取り外し、ピンセット等を用いてロータ３のチューブ穴３ａからチューブ・ボトル１８とバランスウェイト３０を取り出すことによって一連の遠心分離作業が終了する。
【図面の簡単な説明】
【００５８】
【図１】本発明に係る遠心分離機の縦断面図である。
【図２】本発明に係るロータの駆動制御系の構成を示すブロック図である。
【図３】本発明に係るロータの断面斜視図である。
【図４】（ａ）は本発明に係るバランスウェイトの分解斜視図、（ｂ）は同バランスウェイトの斜視図である。
【図５】チューブ・ボトルのバランス取りを示す斜視図である。
【図６】サンプルの許容液面差を示す図である。
【図７】（ａ）〜（ｃ）はロータへのチューブ・ボトルのセット例を示すロータの模式的平面図である。
【図８】（ａ）はネジ式のバランスウェイトの分解斜視図、（ｂ）は同バランスウェイトの斜視図である。
【図９】バランスウェイトの部分斜視図である。
【符号の説明】
【００５９】
１              遠心分離機
２              筐体
３              ロータ
３ａ            ロータのチューブ孔
４              ロータ室
５              モータ
５ａ            モータの出力軸
６              ドア
７              チャンバ
８              冷媒配管
９              断熱材
１０            シールカバー
１１            仕切板
１２            防振ゴム
１３            圧縮機
１４            凝縮器
１５            キャピラリチューブ
１６            制御装置
１７            サンプル
１８            チューブ・ボトル
１９            操作パネル
２０            表示装置
２１            バランサ
３０            バランスウェイト
３１〜３５      バランスウェイトのパーツ
３１ａ〜３５ａ  パーツの孔又は凹部
３１ｂ〜３５ｂ  パーツの係合爪
３２ｃ〜３５ｃ  パーツの係合溝
３１ｄ〜３５ｄ  パーツの雄ネジ部
３６            鍔部
【図１】
2009125616.tif 000003
【図２】
2009125616.tif 000004
【図３】
2009125616.tif 000005
【図４】
2009125616.tif 000006
【図５】
2009125616.tif 000007
【図６】
2009125616.tif 000008
【図７】
2009125616.tif 000009
【図８】
2009125616.tif 000010
【図９】
2009125616.tif 000011